(57)【要約】【課題】小型化したコーンを核にしてその周囲に視認性を高めた表示構造を取り付けて表示機能を向上させるとともに、表示の一部を交換することにより目的に対応して多岐にわたり利用でき、使用時の安定性を高めた簡単な構造の卓上型表示具を提供する。【解決手段】所要面積を有するベース部３の中央に立体錘形のコーン部４が直立して形成される支持体２と、この支持体２の前記コーン部４に沿わせて外嵌するシート材で形成された表示体１０とで構成され、前記表示体１０は前記コーン部４に被嵌する保持部１２と、その保持部１２から食み出して表示面１１ａに所要の図形・文字などの表示事項が記載される表示部１１とで構成されている。【選択図】  図１
0003133820.tif 000002
【実用新案登録請求の範囲】
【請求項１】
所要面積を有するベース部の中央に立体錘形のコーン部が直立して形成される支持体と、この支持体の前記コーン部に沿わせて外嵌するシート材で形成された表示体とで構成され、前記表示体は前記コーン部に被嵌する保持部と、この保持部から食み出して表面に所要の図柄・文字などの表示事項が記載される表示部とで構成されていることを特徴とする卓上型表示具。
【請求項２】
前記表示体は、外形が表示事項に対応した形状にかたどられた表示部と保持部とが一体に形成されている請求項１に記載の卓上型表示具。
【請求項３】
前記保持部は、ベルト状に形成され、その両端部に切込みを形成して、その切込み同士を係合させて前記コーン部に被嵌保持させるように形成されている請求項１または２に記載の卓上型表示具。
【請求項４】
前記支持体は前記コーン部と前記ベース部とに分割され、そのベース部に対してコーン部の下端部を嵌め合わせて一体化するように形成されている請求項１に記載の卓上型表示具。
【請求項５】
前記ベース部の上面に照明灯が取り付けられ、この照明灯のＯＮ／ＯＦＦがスイッチ操作により切り替えられる請求項４に記載の卓上型表示具。
【考案の詳細な説明】
【技術分野】
【０００１】
本考案は、トラフィックコーンの形状を模して縮尺寸法に形成し、これに表示体を被せて商品の表示等を行うようにした卓上型表示具に関するものである。
【背景技術】
【０００２】
従来、トラフィックコーン（一般に「コーン」と呼称されている。）は、屋外での工事現場や道路などで人や車の通行の規制のために、注意を喚起する目的で多く使用されている。このコーンは、地上に配置して通行者が通常の意識から注意を喚起させる手段として利用するのに適した寸法形状に形成されている。一方、このコーンは、さらにその注意喚起機能をより向上させる試みとして、コーンの表面に直接、例えば「○○注意」などの文字を記載表示したり、あるいは別途所要の文字を記載したシートを筒状にしたものをコーンに被せて表示するなど、コーンに付加してより明瞭に注意喚起するものが実用されている。また、このようなものについては、例えば特許文献１，２によって知られている。
【０００３】
一方、屋内での表示手段としては、例えば展示物や商品の表示に、アクリル樹脂などで作成された表示板などをテーブル上やカウンターに置いて顧客の注目を集める表示体が採用されている。例えば特許文献３で知られるように、一枚の板紙から切抜いて表示面を湾曲させて特異な形状に折り曲げ、スタンドに支持させて表示する特異形状の表示具などが提案されている。
【０００４】
ところで、商品表示機能を有する卓上型の表示具を得ようとする場合、一般道路や広場など地上に設置して通行者に認識されて有効利用されるコーンをそのまま縮小（ミニチュア化）して使用することが考えられる。しかしながら、この種のコーンを卓上に置く標識として使用した場合、一見有効と思われるが、単にミニチュア化するだけでは、通常屋外で使用されるコーンのように注意喚起・認識性を得るには問題がある。
【０００５】
また、このようなミニチュアのコーンによる認識性を高めるために、特許文献１あるいは特許文献２に示されるようにミニチュアのコーンの表面に文字を記載したり、別途に作成した文字などを記載する筒状の表示材をコーンに被嵌したりすることも考えられるが、やはり全体のバランスを考慮するとコーンの寸法に応じた記載文字などとなり、結果的にあまり有効な手段とならないという問題点がある。言い換えるとコーンをミニチュアにしたものであるに過ぎず、屋内で使用して視認性を高める表示体としての機能性が乏しいものとなる。
【０００６】
また、特許文献３によって知られるように店舗などで商品を購買者にアピールするための表示具として特異な形状にすることは有効であるが、その特定の形状のみとなると、ごく短期間で表示効果が低下し、多岐にわたる表示具としての使用に際しては十分であるとは言いがたい。
【０００７】
【特許文献１】実用新案登録第３１００４４３号公報
【特許文献２】実用新案登録第３０８２７８１号公報
【特許文献３】特開２００３−１７３１４２号公報
【考案の開示】
【考案が解決しようとする課題】
【０００８】
本考案は、このような事情に鑑みてなされたもので、小型化したコーンを核にしてその周囲に視認性を高めた表示構造を取り付けて表示機能を向上させるとともに、表示の一部を交換することにより目的に対応して多岐にわたり利用でき、使用時の安定性を高めた簡単な構造の卓上型表示具を提供することを目的とするものである。
【課題を解決するための手段】
【０００９】
前記目的を達成するために、本考案による卓上型表示具は、
所要面積を有するベース部の中央に立体錘形のコーン部が直立して形成される支持体と、この支持体の前記コーン部に沿わせて外嵌するシート材で形成された表示体とで構成され、前記表示体は前記コーン部に被嵌する保持部と、この保持部から食み出して表面に所要の図柄・文字などの表示事項が記載される表示部とで構成されていることを特徴とするものである。
【００１０】
本考案において、前記表示体は、外形が表示事項に対応した形状にかたどられた表示部と保持部とが一体に形成されているのが良い（第２考案）。また、前記保持部は、ベルト状に形成され、その両端部に切込みを形成して、その切込み同士を係合させて前記コーン部に被嵌保持させるように形成されているのが良い（第３考案）。
【００１１】
また、本考案において、前記支持体は前記コーン部と前記ベース部とに分割され、そのベース部に対してコーン部の下端部を嵌め合わせて一体化するように形成されているのが良い（第４考案）。
【００１２】
また、前記ベース部の上面に照明灯が取り付けられ、この照明灯のＯＮ／ＯＦＦがスイッチ操作により切り替えられるのが好ましい（第５考案）。
【考案の効果】
【００１３】
本考案によれば、配置時における安定性のある形状とされるミニチュアのトラフィックコーン型の支持体に対し、外側へ広がりを持つ表示体を、支持体のコーン部に外被させて保持させることにより、視認効果を高めることができ、併せて表示部の記載事項を観者に印象付けることができるという効果を奏する。しかも、支持体が安定性を確保できる構造であるから、この支持体に外被する表示体を許容できる範囲で表示面の広い形状として表示効果を高めることができる。
【００１４】
また、本考案の卓上型表示具は、支持体のコーン部に外被して表示体を支持させる構造であるので、その表示体を簡単に別のものと交換することができ、基本形状を変更することなく表示内容の異なる表示を行うことができ、多岐にわたって表示できるという効果を奏するものである。
【考案を実施するための最良の形態】
【００１５】
次に、本考案による卓上型表示具の具体的な実施の形態について、図面を参照しつつ説明する。
【００１６】
図１には本考案の一実施形態に係る卓上型表示具の全体斜視図が、図２には表示体の一態様を展開して表わす図が、図３には支持体に対する表示体の取付態様を表わす図が、それぞれ示されている。
【００１７】
この実施形態の卓上型表示具１は、外形が正方形に形成されたベース部３およびこのベース部３と、このベース部３の中央に所要高さで形成される円錐形のコーン部４とでなる合成樹脂製の支持体２と、この支持体２のコーン部４に外被する表示体１０とで構成されている。なお、前記支持体２の外形はテーブル上などに載置するのに適した寸法にされている。
【００１８】
この実施形態では、支持体２は内部を中空にしてその外形寸法を、例えば地上に設置して使用されているコーンの１／７から１／５の寸法に形成され、視認者が注目する色彩に着色されているのが好ましい。なお、支持体２は、軽量化のために、全体を薄肉に合成樹脂で成形されている。
【００１９】
前記表示体１０は、例えば図２に示されるように、板紙で表示しようとする目的に応じて外形を観者（購買者など）にアピールする形状にして、表面に商品などの図形・写真１５などを印刷したものとされ、必要に応じて価格などを表示した表示部１１と、この表示部１１に連接してベルト状に形成した保持部１２とで構成されている。なお、前記表示部１１は、その使用目的に応じて広い表示面１１ａを有するように形成するのが好ましい。こうすれば観者に伝達する事項を多く記載することができる。また、支持体２のコーン部４表面に表示するよりも注目度を高めることができる。
【００２０】
前記表示体１０の保持部１２には、表示部１１から左右両側に延びるベルト状の長手方向両端部１２ａ，１２ｂに，向きを逆にしてそれぞれ係合用の切込み１３，１３′が設けてある。この保持部１２は、前記両切込み１３，１３′を相互に掛け合わせて係合するとリング状に形成され、このリング状になった保持部１２を前記支持体２のコーン部４に被せるようにして嵌め合わせると支持体２に表示体１０が保持されて卓上型表示具１を形成する。したがって、前記保持部１２の長さ寸法は、両切込み１３，１３′の係合で形成されるリングの内径が支持体２のコーン部４における中間高さ位置となるように設定されているのがよい。なお、この保持部１２によるコーン部４での表示体１０の支持位置を、高い位置に設定する時には内径を小さくし、逆に低い位置に設定する時には保持部１２の内径を大きくするようにする。このように、表示体１０における表示部１１の面積に応じて前記保持部１２の寸法を設定するのがよい。
【００２１】
このように形成される表示体１０は、図３に示されるように、保持部１２をリング状に組立てて支持体２のコーン部４に被せるようにして装着する（二点鎖線で表わす）。こうすることで表示体１０が支持体２によって保持され、表示部１１をコーン部４から張出した状態で表示させることができる。
【００２２】
このように構成される本実施形態の卓上型表示具１は、支持体２がベース部３によって円錐型のコーン部４を安定保持しており、この支持体２のコーン部４に保持部１２を外被して表示体１０が支持されるので、その表示体１０の形状が支持体２に比べて外側に大きく食み出す（突出す）形状であっても、重心が支持体２のコーン部４に位置する限り転倒することなく表示することができる。しかも、表示体１０は円錐形である支持体２のコーン部４に対して外側へ展開した状態で配することができるので、表示面を大きくすることができるので、視認性が高められ、かつ表示内容を十分盛り込んで表示することができる。
【００２３】
一方、この表示体１０は、大きく展開できる表示部１１をその表示内容に合わせて外形を任意の形状にすることができるので、より効果的に表示できる。また、使用に際して表示体１０の表示内容が変更されることになっても、支持体２に対して簡単に脱着できるから、表示内容の異なる表示体１０を準備しておけば、支持体２を変えることなく新たな表示体１０と交換して新しい表示が行えるという即応的な表示変更が行えるという利点がある。
【００２４】
また、この表示体１０としては、例えばパーソナルコンピュータ（以下，単に「パソコン」という。）により写真などを画像処理してプリントアウトしたものを利用することができる。このようなパソコンを使用して表示体１０を作成する方式を採用する場合、予め画像処理のプログラムに、前記支持体２に被せて使用される表示体１０の外形を描く数種のパターンと、そのパターンにおける表示部１１内に収まる画像やデザインされたテキストなどを付加してなるソフトウエアを媒体によってこの卓上型表示具１と合わせて提供するようにしておけば、所要の印刷用紙に前記ソフトウエアのプログラムから所望の画像などを選択して処理し、プリントアウトしたものをパターン外形に合わせて切抜くことにより多彩な表示体１０が得られるので、使用者が工夫を凝らして独自性のある表示体１０を手軽に得ることができる。
【００２５】
図４には表示体の他の実施形態を表わす斜視図（ａ）と用紙に印刷された外形図（ｂ）が示されている。この実施形態の表示体１０Ａは、支持体２のコーン部４を覆うようにコーン状に保持部１２Ａが形成され、表示部１１Ａが保持部１２Ａから側方へ突出すように形成されているものである。したがって、表示内容については、例えば前記表示部１１Ａの表面以外に保持部１２Ａの表面にも記載することができる。図中符号１６は表示文字や図形を示している。
【００２６】
このように形成される表示体１０Ａは、例えば図４（ｂ）で示されるように、前述のパソコンによって、提供されるソフトウエアのプログラムから得られるパターンに所要の文字や図形などを処理して用紙１７にプリントアウトし、印刷された表示体の展開された図形１８を切抜いて得ることができる。このように、表示体の作成に際して基本パターンを設定すれば、表示する事項について自由に記載することができ、専門技術を要することなく所望の表示体を作成することができる。なお、前記表示体の外形については限定されることはなく、自由に形成できることは言うまでもない。
【００２７】
図５には表示体の更に他の実施形態を表わす斜視図が示されている。この実施形態の表示体１０Ｂは、前後両面が表示面１１ｂ，１１ｂとなり、この表示部片１１Ａ，１１Ａの内面部が保持部を兼ねるようにされたものである。この実施形態の表示体１０Ｂは、外形が長方形に形成された二枚の表示部片１１Ａ，１１Ａを前後両側に配して両端部１１ｃ，１１ｃで閉じ合わせ、両表面が表示面１１ｂ、１１ｂとなるように形成されている。このように形成した表示体１０Ａでは、両側に配される表示部片１１Ａ，１１Ａの間に形成される空間部１９を前記支持体２のコーン部４に外被装着すれば、両表示部片１１Ａ，１１Ａの膨出反力で両内面がコーン部４を挟付け力と支持体２のコーン部４が円錐形になっているので落下せず保持させることができる。
【００２８】
このように構成される表示体１０Ａを採用すれば、前後両表示面１１ｂ，１１ｂに所要の文字や図柄を表示させて両方から表示を視認でき、支持体２から表示部片１１Ａが張出して大きく表示できるので、表示効果もより有効である。また、構造も簡単であるから作成も容易である。もちろん、このような構造の表示体１０Ｂの場合にも、前述のようにプログラムから表示用のデータを取出し画像処理して印刷できることは言うまでもない。
【００２９】
前述した実施形態の卓上型表示具１では、陳列棚に載置して商品などの価格やその他の情報を伝達するのに有効であり、カウンターや事務机上に置いて標識とすることもできる。また、例えば回転すし店において商品を搬送するコンベアのキャリア上に載せて特別な商品の販売をアピールするのに利用することができる。このような用途では、特異性を有する卓上型表示具として効果的であると言える。
【００３０】
図６に示されるのは、支持体の他の実施形態を表わす縦断面図である。この実施形態の支持体２Ａは、その全体の外形が前記実施形態のものと同様であるが、ベース部３Ａとコーン部４Ａとが分離可能な構成とされている。
【００３１】
この支持体２Ａは、ベース部３Ａとコーン部４Ａが支持される基部を嵌め合い構造とされ、そのベース部３Ａ中央に適宜高さで段付きの連結部３ａが形成されている。これに対してコーン部基端４ａは、前記ベース部３Ａの連結部３ａにおける上端部３ｂに外嵌する寸法形状にされており、両者を嵌め合わせると一体的に連結固定される。このような構成にすることにより、使用前の運搬時は嵩低くして包装でき、取扱いを便利にすることができる。
【００３２】
図７（ａ）に示されるのは、図６に示されるような分離型の支持体において、ベース部３Ｂの中央部にＬＥＤ照明灯２０を取り付け、このＬＥＤ照明灯２０をベース部３Ｂの一側部に配されたスイッチ２１によりＯＮ／ＯＦＦ操作するようにした実施形態である。このようにすると、ＬＥＤ照明灯２０がＯＮ操作されたときに、成形樹脂製のコーン部から透けた光が外部に漏れることで卓上型表示具自体を内部照明することができ、視覚効果および表示効果を高めることができる。これらの効果は、コーン部に表示体を被せても維持することができる。
【００３３】
また、図７（ｂ）に示されるのは、上述のようにＬＥＤ照明灯２０を取り付けたものにおいて、表示体１０Ｃの保持部１２Ｃに孔２２，２３を設けるようにした例である。このようにＬＥＤ照明灯２０に加えて保持部１２Ｃに視認性・表示効果の強弱を付けることで、効果的な演出を行うことが可能となる。また、このような表示体１０Ｃは、夜間の消灯時における机上の照明等として機能させることができる。
【００３４】
また、上述の説明では、スイッチ２１の操作によりＬＥＤ照明灯２０をＯＮ／ＯＦＦ作動させるものを説明したが、コーン部４の内部に、音響ＩＣと、小型スピーカーと、音楽に同調してＬＥＤ照明灯２０を制御するコントローラとを内蔵させて、音楽に同調させてＬＥＤ照明灯２０の輝度を変化させるようにすることもできる。なお、音響の起動は、ＯＮ／ＯＦＦスイッチのほか、温度センサーや振動センサーによる作動方式を用いることもできる。このように音、温度変化、空気振動変化等に合わせてＬＥＤ照明灯２０の輝度を変化させ、閃光作動させるようにすることで、視覚効果を向上させることができ、商品展示に活用する場合の広告効果を高めることができる。
【００３５】
以上の説明においては、支持体のコーン部が円錐形のものについて記載したが、これに限定されるものではなく、角錐形のものであってもよい。この角錐形のコーン部である場合は、表示体の保持部をそのコーン部表面に対応した形状にするのが好ましく、この場合は、コーン部表面が平面的に形成されるので、方向性が生じるから、表示体を配置する場所に応じた向きでコーン部に外被させることが必要である。また、表示体の保持部については、前記記載に限定されるものではなく、支持体のコーン部に保持できる形状構造であればよい。また、切込みを掛け合わせて止める構造以外に粘着テープや糊で止めるほか、ホッチキスの針で止めてリング状にしてもよい。
【図面の簡単な説明】
【００３６】
【図１】本考案の一実施形態に係る卓上型表示具の全体斜視図
【図２】表示体の一態様を展開して表わす図
【図３】支持体に対する表示体の取付態様を表わす図
【図４】表示体の他の実施形態を表わす斜視図（ａ）と用紙に印刷された外形図（ｂ）
【図５】表示体の更に他の実施形態を表わす斜視図
【図６】支持体の他の実施形態を表わす縦断面図
【図７】支持体の更に他の実施形態を表す斜視図
【符号の説明】
【００３７】
１      卓上型表示具
２，２Ａ      支持体
３，３Ａ      ベース部
４，４Ａ      コーン部
１０，１０Ａ，１０Ｂ      表示体
１１      表示部
１１Ａ    表示部片
１１ａ，１１ｂ      表示面
１２，２Ａ      保持部
１５，１６      表示文字や図形
１９      空間部
２０      ＬＥＤ照明灯
２１      スイッチ
２２，２３    孔
【図１】
0003133820.tif 000003
【図２】
0003133820.tif 000004
【図３】
0003133820.tif 000005
【図４】
0003133820.tif 000006
【図５】
0003133820.tif 000007
【図６】
0003133820.tif 000008
【図７】
0003133820.tif 000009